(57)【要約】【課題】外部装置や光伝送路の繋ぎ換えの必要が無く、簡易に光信号のループバックテストを行うことができる光通信システム、光通信システムの光信号送受信方法及び光送受信モジュールを提供すること。【解決手段】本発明は、光送受信モジュール１及び２を有する。光送受信モジュール１は送信器３及び受信器４を有する。光送受信モジュール１は送信器６及び受信器７を有する。通常通信モードにおいては、受信器７は送信器３から送信される光信号Ｓ１１を受信し、受信器４は送信器６から送信される光信号Ｓ２１を受信する。ループバック通信モードにおいては、少なくとも受信器４は、送信器３から送信され、光送受信モジュール２により転送され、送信器６から受信器４へ送信される光信号Ｓ１２を受信する。【選択図】図１Ａ
2011211565.tif 000002
【特許請求の範囲】
【請求項１】
相互に光信号の送信及び受信を行う第１の光送受信モジュール及び第２の光送受信モジュールを少なくとも備え、
前記第１の光送受信モジュール及び前記第２の光送受信モジュールは、
光信号を送信する送信器と、
光信号を受信する受信器と、を少なくとも備え、
通常通信モードにおいては、
前記第１の光送受信モジュールの前記受信器は、前記第２の光送受信モジュールの前記送信器から送信される光信号を受信し、
前記第２の光送受信モジュールの前記受信器は、前記第１の光送受信モジュールの前記送信器から送信される光信号を受信し、
ループバック通信モードにおいては、
少なくとも前記第１の光送受信モジュールの前記受信器は、前記第１の光送受信モジュールの前記送信器から送信され、前記第２の光送受信モジュールにより転送され、前記第２の光送受信モジュールの前記送信器から当該受信器へ送信される光信号を受信する、
光通信システム。
【請求項２】
前記第１の光送受信モジュール及び前記第２の光送受信モジュールは、
前記ループバック通信モードにおいて前記送信器へ光信号を転送する光信号転送手段を更に備えることを特徴とする、
請求項１に記載の光通信システム。
【請求項３】
前記送信器は、
第１の波長の光を発生させる発光素子と、前記第１の波長とは異なる第２の波長の光を発生させる発光素子と、を少なくとも備え、
前記第１の波長の光を変調した前記第１の波長を有する光信号及び前記第２の波長の光を変調した前記第２の波長を有する光信号のいずれか一方、あるいは両方を送信することを特徴とする、
請求項２に記載の光通信システム。
【請求項４】
前記送信器は、
少なくとも第１の波長の光又は前記第１の波長とは異なる第２の波長の光を発生させる波長可変発光素子を少なくとも備え、
前記第１の波長の光を変調した前記第１の波長を有する光信号又は前記第２の波長の光を変調した前記第２の波長を有する光信号を送信することを特徴とする、
請求項２に記載の光通信システム。
【請求項５】
前記通常通信モードにおいては、
前記第１の光送受信モジュールの前記送信器は、前記第１の波長を有する光信号を送信し、
前記第２の光送受信モジュールの前記送信器は、前記第２の波長を有する光信号を送信し、
前記第１の光送受信モジュールの前記光信号転送手段は、前記第２の光送受信モジュールの前記送信器から送信される前記第２の波長を有する光信号を、前記第１の光送受信モジュールの前記受信器に出力し、
前記第２の光送受信モジュールの前記光信号転送手段は、前記第１の光送受信モジュールの前記送信器から送信される前記第１の波長を有する光信号を、前記第２の光送受信モジュールの前記受信器に出力し、
前記ループバック通信モードにおいては、
少なくとも前記第１の光送受信モジュールの前記送信器は、少なくとも前記第２の波長を有する光信号を送信し、
前記第２の光送受信モジュールの前記光信号転送手段は、前記第１の光送受信モジュールの前記送信器から送信される前記第２の波長を有する光信号を、前記第２の光送受信モジュールの前記送信器へ転送し、
前記第２の光送受信モジュールの前記送信器は、転送された前記第２の波長を有する光信号を前記第１の光送受信モジュールの前記光信号転送手段へ送信し、
前記第１の光送受信モジュールの前記光信号転送手段は、送信された前記第２の波長を有する光信号を、前記第１の光送受信モジュールの前記受信器に出力することを特徴とする、
請求項３又は４に記載の光通信システム。
【請求項６】
前記ループバック通信モードにおいては、
前記第２の光送受信モジュールの前記送信器は、前記第１の波長を有する光信号を送信し、
前記第１の光送受信モジュールの前記光信号転送手段は、前記第２の光送受信モジュールの前記送信器から送信される前記第１の波長を有する光信号を、前記第１の光送受信モジュールの前記送信器へ転送し、
前記第１の光送受信モジュールの前記送信器は、転送された前記第１の波長を有する光信号を前記第２の光送受信モジュールの前記光信号転送手段へ送信し、
前記第２の光送受信モジュールの前記光信号転送手段は、送信された前記第１の波長を有する光信号を、前記第２の光送受信モジュールの前記受信器に出力することを特徴とする、
請求項５に記載の光通信システム。
【請求項７】
前記通常通信モードにおいては、
前記第１の光送受信モジュールの前記送信器は、第１の偏光状態を有する光信号を送信し、
前記第２の光送受信モジュールの前記送信器は、前記第１の偏光状態とは異なる第２の偏光状態を有する光信号を送信し、
前記第１の光送受信モジュールの前記光信号転送手段は、前記第２の光送受信モジュールの前記送信器から送信される前記第２の偏光状態を有する光信号を、前記第１の光送受信モジュールの前記受信器に出力し、
前記第２の光送受信モジュールの前記光信号転送手段は、前記第１の光送受信モジュールの前記送信器から送信される前記第１の偏光状態を有する光信号を、前記第２の光送受信モジュールの前記受信器に出力し、
前記ループバック通信モードにおいては、
少なくとも前記第１の光送受信モジュールの前記送信器は、少なくとも前記第２の偏光状態を有する光信号を送信し、
前記第２の光送受信モジュールの前記光信号転送手段は、前記第１の光送受信モジュールの前記送信器から送信される前記第２の偏光状態を有する光信号を、前記第２の光送受信モジュールの前記送信器へ転送し、
前記第２の光送受信モジュールの前記送信器は、転送された前記第２の偏光状態を有する光信号を前記第１の光送受信モジュールの前記光信号転送手段へ送信し、
前記第１の光送受信モジュールの前記光信号転送手段は、送信された前記第２の偏光状態を有する光信号を、前記第１の光送受信モジュールの前記受信器に出力することを特徴とする、
請求項１に記載の光通信システム。
【請求項８】
前記ループバック通信モードにおいては、
前記第２の光送受信モジュールの前記送信器は、前記第１の偏光状態を有する光信号を送信し、
前記第１の光送受信モジュールの前記光信号転送手段は、前記第２の光送受信モジュールの前記送信器から送信される前記第１の偏光状態を有する光信号を、前記第１の光送受信モジュールの前記送信器へ転送し、
前記第１の光送受信モジュールの前記送信器は、転送された前記第１の偏光状態を有する光信号を前記第２の光送受信モジュールの前記光信号転送手段へ送信し、
前記第２の光送受信モジュールの前記光信号転送手段は、送信された前記第１の偏光状態を有する光信号を、前記第２の光送受信モジュールの前記受信器に出力することを特徴とする、
請求項７に記載の光通信システム。
【請求項９】
他の光送受信モジュールとの間でループバック通信を行う光送受信モジュールであって、
光信号を送信する送信器と、
光信号を受信する受信器と、を少なくとも備え、
通常通信モードにおいては、
当該光送受信モジュールの前記受信器は、前記他の光送受信モジュールの前記送信器から送信される光信号を受信し、
ループバック通信モードにおいては、
当該光送受信モジュールの前記受信器は、当該光送受信モジュールの前記送信器から出力され、前記他の光送受信モジュールにより転送され、前記他の光送受信モジュールの前記送信器から送信される光信号を受信する、
光送受信モジュール。
【請求項１０】
相互に光信号の送信及び受信を行う第１の光送受信モジュール及び第２の光送受信モジュールを有する光通信システムの光信号送受信方法であって、
通常通信モードにおいては、
第１の送受信モジュールの送信器から送信する光信号を、第２の光送受信モジュールの受信器で受信し、
第２の送受信モジュールの送信器から送信する光信号を、第１の光送受信モジュールの受信器で受信し、
ループバック通信モードにおいては、
前記第１の光送受信モジュールの前記送信器から送信する光信号を、前記第２の送受信モジュールにより転送して、前記第２の送受信モジュールの前記送信器から前記第１の送受信モジュールの前記受信器で受信する、
光通信システムの光信号送受信方法。
【発明の詳細な説明】
【技術分野】
【０００１】
本発明は光通信システム、光通信システムの光信号送受信方法及び光送受信モジュールに関し、特に自己診断を行うことができる光通信システム、光通信システムの光信号送受信方法及び光送受信モジュールに関する。
【背景技術】
【０００２】
近年、コンピュータ、サーバ、ルータ及びストレージ等の装置間または装置内において、これまで電気配線で行っていた高速インターコネクション（Ｇｂｐｓ以上の伝送レートによる接続をいう）を光配線に置き換える、いわゆる光インターコネクションに関する研究開発が活発化してきている。１配線あたり１０Ｇｂｐｓ以上の伝送レートを電気配線により実現する場合には、その伝送可能距離は高々数ｃｍ〜数十ｃｍに制限される。さらに、この場合には、一般に波形整形回路が必要とされるため、総消費電力が増大する問題がある。また、電気信号線を並列化して総伝送容量を増加させた場合、同じ総伝送容量でも１配線あたりの伝送容量を大きく出来る光配線に比べて、圧倒的に伝送路占有面積、またはケーブル断面積が増加し、実装上の問題が顕在化してしまう。これらの問題は、今後の情報通信機器の発展を阻害する要因となる。
【０００３】
光インターコネクションの研究開発が活発化している理由の一つは、これらの問題を克服できると期待されるためである。最近では、ＸＦＰやＳＦＰ＋といった単芯でビットレートが１０Ｇｂｐｓを超えるＭＳＡ（Multi Source Agreement）規格の小型光送受信モジュールだけでなく、ＰＯＰ４、ＱＳＦＰ、ＳＮＡＰ１２及びＣＸＰのような多芯型光送受信モジュールや、波長多重に対応したモジュール（例えば、特許文献１）の商用化まで進んでいる。
【０００４】
図７は、通常の多芯型光送受信モジュールを用いて通信を行う場合の光通信システム７００の概要図である。この光通信システム７００は、図７に示すように、８チャネルの光通信システムであり、多芯型光送受信モジュール７０１と多芯型光送受信モジュール７０２との間が光伝送路７０３ａ〜ｈで結ばれている。多芯型光送受信モジュール７０１には、送信部７０１ａと受信部７０１ｂが設けられている。送信部７０１ａには送信ポートＴｘ１〜４が設けられ、受信部７０１ｂには受信ポートＲｘ５〜８が設けられている。多芯型光送受信モジュール７０２には、送信部７０２ａと受信部７０２ｂが設けられている。送信部７０２ａには送信ポートＴｘ５〜８が設けられ、受信部７０２ｂには受信ポートＲｘ１〜４が設けられている。送信ポートＴｘ１〜８は、それぞれ光伝送路７０３ａ〜ｈを介して、対向する受信ポートＲｘ１〜８に光信号Ｓ１〜８を送信する。すなわち、通常の多芯型光送受信モジュールを用いて通信を行う場合の光通信システムは、１対１の通信を基本としたシンプルな構成を有している。
【０００５】
これらの現在商用化されている光送受信モジュールは、その内部に搭載された半導体光発光素子の信頼性が低い。そのため、電気通信コンポーネントに比べてまだ不安を持つユーザーが多く、さらなる高信頼化が強く望まれている。また、システム全体の消費電力を低減するため、余分なパワー消費を可能な限り抑えるための有効なパワーマネージメント手段（出力信号パワーの最適化など）も求められている。これらのニーズに対応するためには、具体的には、自己診断機能の搭載が最低限必要である。
【０００６】
一般の基幹系用光モジュールでは、光送信器側に光出力パワーモニター専用のＰＤ（Photodiode）およびアンプといった専用コンポーネントを別途搭載することにより、光送信器の状態をモニターするものが存在する。また、専用の外部装置（試験装置）を光伝送路に接続することにより、光伝送路の診断を行うことができる技術が知られている（例えば、特許文献２）。特許文献２では、各光伝送路を診断するには、光伝送路や試験装置のつなぎ替えが必要である。更に、試験装置から送信した光信号を光送受信モジュールで受信することができないため、光送受信モジュールを含めた包括的な診断を行うことはできない。しかし、光インターコネクション用モジュールに自己診断機能の付与を目的として、このような専用コンポーネントを搭載することは現実的ではない。専用コンポーネントの搭載によるコスト増加及びサイズの増大を考慮すると、低コストかつ小サイズが要求される光インターコネクション用モジュールには採用が難しいためである。
【先行技術文献】
【特許文献】
【０００７】
【特許文献１】特開２００４−１０９３１３号公報
【特許文献２】特開平１１−２１５０５９号公報
【発明の概要】
【発明が解決しようとする課題】
【０００８】
自己診断機能を有する光インターコネクション用の光通信システムの低コスト化及び小サイズ化を実現するには、光送受信モジュール筐体内に内蔵されている光受信器を用いて自己診断を行う方法、いわゆるループバックテストを行う方法を用いれば良い。さらには、光受信器及び光伝送路の特性を把握する際には、そもそも、ループバックテストが不可欠である。しかしながら、これまで、専用の外部装置や光伝送路（主に光ファイバ）の繋ぎ換えを必要とせずに、光信号のループバックテストを行うことができる光送受信モジュールや光通信システムは存在していなかった。
【０００９】
本発明の目的は、専用の外部装置や光伝送路の繋ぎ換えの必要が無く、簡易に光信号のループバックテストを行うことができる光通信システム、光通信システムの光信号送受信方法及び光送受信モジュールを提供することにある。
【課題を解決するための手段】
【００１０】
本発明の一態様である光通信システムは、相互に光信号の送信及び受信を行う第１の光送受信モジュール及び第２の光送受信モジュールを少なくとも備え、前記第１の光送受信モジュール及び前記第２の光送受信モジュールは、光信号を送信する送信器と、光信号を受信する受信器と、を少なくとも備え、通常通信モードにおいては、前記第１の光送受信モジュールの前記受信器は、前記第２の光送受信モジュールの前記送信器から送信される光信号を受信し、前記第２の光送受信モジュールの前記受信器は、前記第１の光送受信モジュールの前記送信器から送信される光信号を受信し、ループバック通信モードにおいては、少なくとも前記第１の光送受信モジュールの前記受信器は、前記第１の光送受信モジュールの前記送信器から送信され、前記第２の光送受信モジュールにより転送され、前記第２の光送受信モジュールの前記送信器から当該受信器へ送信される光信号を受信するものである。
【００１１】
本発明の一態様である光送受信モジュールは、他の光送受信モジュールとの間でループバック通信を行う光送受信モジュールであって、光信号を送信する送信器と、光信号を受信する受信器と、を少なくとも備え、通常通信モードにおいては、当該光送受信モジュールの前記受信器は、前記他の光送受信モジュールの前記送信器から送信される光信号を受信し、ループバック通信モードにおいては、当該光送受信モジュールの前記受信器は、当該光送受信モジュールの前記送信器から出力され、前記他の光送受信モジュールにより転送され、前記他の光送受信モジュールの前記送信器から送信される光信号を受信するものである。
【００１２】
本発明の一態様である光通信システムの光信号送受信方法は、相互に光信号の送信及び受信を行う第１の光送受信モジュール及び第２の光送受信モジュールを有する光通信システムの光信号送受信方法であって、通常通信モードにおいては、第１の送受信モジュールの送信器から送信する光信号を、第２の光送受信モジュールの受信器で受信し、第２の送受信モジュールの送信器から送信する光信号を、第１の光送受信モジュールの受信器で受信し、ループバック通信モードにおいては、前記第１の光送受信モジュールの前記送信器から送信する光信号を、前記第２の送受信モジュールにより転送して、前記第２の送受信モジュールの前記送信器から前記第１の送受信モジュールの前記受信器で受信するものである。
【発明の効果】
【００１３】
本発明によれば、専用の外部装置や光伝送路の繋ぎ換えの必要が無く、簡易に光信号のループバックテストを行うことができる光通信システム、光通信システムの光信号送受信方法及び光送受信モジュールを提供することができる。
【図面の簡単な説明】
【００１４】
【図１Ａ】実施の形態１にかかる光通信システム１００の構成と通常通信モードにおける光信号の経路を示す構成図である。
【図１Ｂ】実施の形態１にかかる光通信システム１００の構成とループバック通信モードにおける光信号の経路を示す構成図である。
【図２Ａ】実施の形態２にかかる光通信システム２００の構成と通常通信モードにおける光信号の経路を示す構成図である。
【図２Ｂ】実施の形態２にかかる光通信システム２００の構成とループバック通信モードにおける光信号の経路を示す構成図である。
【図３Ａ】実施の形態３にかかる光通信システム３００の構成と通常通信モードにおける光信号の経路を示す構成図である。
【図３Ｂ】実施の形態３にかかる光通信システム３００の構成とループバック通信モードにおける光信号の経路を示す構成図である。
【図４Ａ】実施の形態４にかかる光通信システム４００の構成と通常通信モードにおける光信号の経路を示す構成図である。
【図４Ｂ】実施の形態４にかかる光通信システム４００の構成とループバック通信モードにおける光信号の経路を示す構成図である。
【図５Ａ】実施の形態５にかかる光通信システム５００の構成と通常通信モードにおける光信号の経路を示す構成図である。
【図５Ｂ】実施の形態５にかかる光通信システム５００の構成とループバック通信モードにおける光信号の経路を示す構成図である。
【図６Ａ】実施の形態５にかかる光通信システム６００の構成と通常通信モードにおける光信号の経路を示す構成図である。
【図６Ｂ】実施の形態５にかかる光通信システム６００の構成とループバック通信モードにおける光信号の経路を示す構成図である。
【図７】通常の多芯型光送受信モジュールを用いて通信を行う場合の光通信システム７００の概要図である。
【発明を実施するための形態】
【００１５】
実施の形態１
以下、図面を参照して本発明の実施の形態について説明する。図１Ａは、実施の形態１にかかる光通信システム１００の構成と通常通信モードにおける光信号の経路を示す構成図である。図１Ｂは、実施の形態１にかかる光通信システム１００の構成とループバック通信モードにおける光信号の経路を示す構成図である。まず、図１Ａを参照して、光通信システム１００の構成について説明する。光通信システム１００は、光送受信モジュール１の送信ポートＴｘ１と光送受信モジュール２の受信ポートＲｘ１とが、光伝送路９ａにより光学的に接続されている。また、光送受信モジュール１の受信ポートＲｘ２と光送受信モジュール２の送信ポートＴｘ２とが、光伝送路９ｂにより光学的に接続されている。光送受信モジュール１は、送信器３、受信器４、光信号転送手段５により構成される。光送受信モジュール２は、送信器６、受信器７、光信号転送手段８により構成される。なお、図１Ｂに示す光通信システム１００の構成は、図１Ａと同様であるので説明を省略する。
【００１６】
次に、図１Ａを参照して、通常通信モードにおける光通信システムの動作について説明する。通常通信モードにおいては、光送受信モジュール１には、入力データ信号ＩＮ１１及び制御信号ＣＯＮＴ１１が入力される。送信器３は、入力データ信号ＩＮ１１に対応した及び制御信号ＣＯＮＴ１１に応じて光信号Ｓ１１を送信する。光信号Ｓ１１は、光伝送路９ａを経由して光送受信モジュール２に入り、光信号転送手段８を通過して受信器７にて受信される。受信器７は、受信した光信号Ｓ１１を光電変換して生成した出力データ信号ＯＵＴ２を、外部の情報処理装置等に出力する。
【００１７】
一方、光送受信モジュール２には、入力データ信号ＩＮ２１及び制御信号ＣＯＮＴ２１が入力される。送信器６は、入力データ信号ＩＮ２１及び制御信号ＣＯＮＴ２１に応じて光信号Ｓ２１を送信する。光信号Ｓ２１は、光伝送路９ｂを経由して光送受信モジュール１に入り、光信号転送手段５を通過して受信器４にて受信される。受信器４は、受信した光信号Ｓ２１を光電変換して生成した出力データ信号ＯＵＴ１を、外部の情報処理装置等に出力する。これにより、通常通信モードにおける光通信システム１００は、光送受信モジュール１と光送受信モジュール２との間で、データ通信を行うことができる。
【００１８】
次に、図１Ｂを参照して、ループバック通信モードにおける光通信システム１００の動作について説明する。ループバック通信モードにおいては、光送受信モジュール１には、入力データ信号ＩＮ１２及び制御信号ＣＯＮＴ１２が入力される。送信器３は、入力データ信号ＩＮ１２及び制御信号ＣＯＮＴ１２に応じて光信号Ｓ１２を送信する。光信号Ｓ１２は、光伝送路９ａを経由して光送受信モジュール２に入る。光信号Ｓ１２は、光信号転送手段８により送信器６に転送される。転送された光信号Ｓ１２は、送信器６から光伝送路９ｂを介して光送受信モジュール１に送信される。その後、光信号Ｓ１２は、光信号転送手段５を通過して受信器４にて受信される。受信器４は、受信した光信号Ｓ１２を光電変換して生成した出力データ信号ＯＵＴ１を、外部の情報処理装置等に出力する。
【００１９】
一方、光送受信モジュール２には、入力データ信号ＩＮ２２及び制御信号ＣＯＮＴ２２が入力される。送信器６は、入力データ信号ＩＮ２２及び制御信号ＣＯＮＴ２２に応じて光信号Ｓ２２を送信する。光信号Ｓ２２は、光伝送路９ａを経由して光送受信モジュール１に入る。光信号Ｓ２２は、光信号転送手段５により送信器３に転送される。転送された光信号Ｓ２２は、送信器３から光伝送路９ａを介して光送受信モジュール２に送信される。その後、光信号Ｓ２２は、光信号転送手段８を通過して受信器７にて受信される。受信器７は、受信した光信号Ｓ２２を光電変換して生成した出力データ信号ＯＵＴ２を、外部の情報処理装置等に出力する。
【００２０】
上述のように、ループバック通信モードにおける光通信システム１００では、各光送受信モジュールの送信ポートから送信された光信号は、光信号を送信した光送受信モジュールの受信ポートに帰還する。すなわち、各通信モードにおける光信号の経路を切り替えている。この光信号の経路の切り替えは、光信号転送手段により行われる。
【００２１】
例えば、送信器が単一の波長の光信号を送信する場合について説明する。一方の光送受信モジュールの送信器から送信された光信号は、他方の光送受信モジュールの光信号転送手段に入射する。光信号転送手段は、通信モードに応じて、光信号を受信器又は送信器に振り分ける。従って、この場合の光信号転送手段には、例えばミラーや合分波素子などの光学素子を用いることができる。
【００２２】
また、送信器が２波長の光信号を送信する場合について説明する。例えば、通常通信モードにおいては、一方の光送受信モジュールの送信器からは第１の波長を有する光信号が送信される。ループバック通信モードにおいては、一方の光送受信モジュールの送信器からは第２の波長（第１の波長とは異なる波長）を有する光信号が送信される。この場合の他方の光送受信モジュールの光信号転送手段は、２つの波長を選別し、例えば第１の波長を有する光信号を受信器へ向けて通過させ、第２の波長を有する光信号を送信器へ転送する。従って、この場合の光信号転送手段には、例えばダイクロイックミラーやＷＤＭカプラなどの光学素子を用いることができる。
【００２３】
また、送信器が異なる偏光状態の光信号を送信する場合について説明する。例えば、通常通信モードにおいては、一方の光送受信モジュールの送信器からは第１の偏光状態を有する光信号が送信される。ループバック通信モードにおいては、第２の偏光状態（第１の偏光状態とは異なる）を有する光信号が送信される。この場合の他方の光送受信モジュールの光信号転送手段は、２つの偏光状態を選別し、例えば第１の偏光状態を有する光信号を受信器へ向けて通過させ、第２の偏光状態を有する光信号を送信器へ転送する。従って、この場合の光信号転送手段には、例えば偏光ミラーなどの光学素子を用いることができる。
【００２４】
このように、ループバック通信モードにおける光通信システム１００では、各光送受信モジュールの送信ポートから送信された光信号は、光信号を送信した光送受信モジュールの受信ポートに帰還する。すなわち、内部で光信号の経路を切り替えることができる光送受信モジュールを用いることにより、容易にループバック通信を行うことができる。従って、本構成によれば、光伝送路のつなぎ替えや、外部に光伝送路診断用の機器を設けることなく、自己診断を行うことができる光通信システムを提供することができる。
【００２５】
また、光通信システム１００においては、光伝送路のつなぎ替えや、光通信システムの外部に光伝送路診断用の機器を設ける必要が無いので、任意の時期に瞬時に、光通信システムの任意の箇所について、ループバックテストを行うことができる。
【００２６】
実施の形態２
実施の形態２は、２波長の光信号を送信する光送受信モジュールにより構成される光通信システムの具体例である。図２Ａは、実施の形態２にかかる光通信システム２００の構成と通常通信モードにおける光信号の経路を示す構成図である。図２Ｂは、実施の形態２にかかる光通信システム２００の構成とループバック通信モードにおける光信号の経路を示す構成図である。まず、図２Ａを参照して、光通信システム２００の構成について説明する。光通信システム２００は、光送受信モジュール１１と光送受信モジュール２１とが、光伝送路である光ファイバ９０ａ及び光ファイバ９０ｂにより光学的に接続されている。
【００２７】
光送受信モジュール１１は、送信器３１、受信器４１、ダイクロイックミラー５１（λ１：反射、λ２：透過）により構成される。ダイクロイックミラー５１は、図１Ａ及び図１Ｂの光信号転送手段５に対応するものである。送信器３１は、ＬＤ（Laser Diode）直接変調ドライバ３１１ａ、ＬＤ直接変調ドライバ３１１ｂ、ＬＤ３１２ａ（波長：λ１）、ＬＤ３１２ｂ（波長：λ２）、ハーフミラー３１３、ダイクロイックミラー３１４（λ１：反射、λ２：透過）により構成される。受信器４１は、ＰＤ４１１及びアンプ４１２により構成される。
【００２８】
光送受信モジュール２１は、送信器６１、受信器７１、ダイクロイックミラー８１（λ２：反射、λ１：透過）により構成される。ダイクロイックミラー８１は、図１Ａ及び図１Ｂの光信号転送手段８に対応するものである。送信器６１は、ＬＤ直接変調ドライバ６１１ａ、ＬＤ直接変調ドライバ６１１ｂ、ＬＤ６１２ａ、ＬＤ６１２ｂ、ハーフミラー６１３、ダイクロイックミラー６１４（λ２：反射、λ１：透過）により構成される。受信器７１は、ＰＤ７１１及びアンプ７１２により構成される。
【００２９】
一般に、多芯光送受信モジュールを使用する光通信では複数のチャネルが使用される。光通信システム２００は、２芯の光送受信モジュール１１及び光送受信モジュール２１を使用しており、波長λ１の光信号を用いる第１のチャネル（Ｔｘ１−Ｒｘ１）と、波長λ２の光信号を用いる第２のチャネル（Ｔｘ２−Ｒｘ２）を有している。なお、図２Ｂに示す光通信システム２００の構成は、図２Ａと同様であるので説明を省略する。
【００３０】
次に、図２Ａを参照して、通常通信モードにおける光通信システム２００の動作について説明する。通常通信モードにおいては、光送受信モジュール１１のＬＤ直接変調ドライバ３１１ａには、入力データ信号ＩＮ１１及び制御信号ＣＯＮＴ１１が入力される。ＬＤ直接変調ドライバ３１１ａは、入力データ信号ＩＮ１１及び制御信号ＣＯＮＴ１１に応じてＬＤ３１２ａを駆動し、ＬＤ３１２ａは波長λ１の光信号Ｓ１１を送信する。この光信号Ｓ１１の一部はハーフミラー３１３で反射され、さらにダイクロイックミラー３１４で反射されて、送信ポートＴｘ１に到達する。光信号Ｓ１１は光ファイバ９０ａを通過して光送受信モジュール２１の受信ポートＲｘ１に入射する。光送受信モジュール２１に入射した光信号Ｓ１１は、ダイクロイックミラー８１を通過して、ＰＤ７１１に入射する。ＰＤ７１１は、光信号Ｓ１１を光電変換した電気信号をアンプ７１２に出力する。アンプ７１２は、この電気信号を増幅した出力データ信号ＯＵＴ２を、外部の情報処理装置等に出力する。
【００３１】
一方、光送受信モジュール２１のＬＤ直接変調ドライバ６１１ａには、入力データ信号ＩＮ２１及び制御信号ＣＯＮＴ２１が入力される。ＬＤ直接変調ドライバ６１１ａは、入力データ信号ＩＮ２１及び制御信号ＣＯＮＴ２１に応じてＬＤ６１２ａを駆動し、ＬＤ６１２ａは波長λ２の光信号Ｓ２１を送出する。この光信号Ｓ２１の一部はハーフミラー６１３で反射され、さらにダイクロイックミラー６１４で反射されて、送信ポートＴｘ２に到達する。光信号Ｓ２１は光ファイバ９０ｂを通過して光送受信モジュール１１の受信ポートＲｘ２に入射する。光送受信モジュール１１に入射した光信号Ｓ２１は、ダイクロイックミラー５１を通過して、ＰＤ４１１に入射する。ＰＤ４１１は、光信号Ｓ２１を光電変換した電気信号をアンプ４１２に出力する。アンプ４１２は、この電気信号を増幅した出力データ信号ＯＵＴ１を、外部の情報処理装置等に出力する。
【００３２】
これにより、通常通信モードにおける光通信システム２００は、光送受信モジュール１１と光送受信モジュール２１との間で、データ通信を行うことができる。
【００３３】
次に、図２Ｂを参照して、ループバック通信モードにおける光通信システム２００の動作について説明する。ループバック通信モードにおいては、光送受信モジュール１１のＬＤ直接変調ドライバ３１１ｂには、入力データ信号ＩＮ１２及び制御信号ＣＯＮＴ１２が入力される。ＬＤ直接変調ドライバ３１１ｂは、入力データ信号ＩＮ１２及び制御信号ＣＯＮＴ１２に応じてＬＤ３１２ｂを駆動し、ＬＤ３１２ｂは波長λ２の光信号Ｓ１２を送出する。この光信号Ｓ１２はダイクロイックミラー３１４を通過して、送信ポートＴｘ１に到達する。光信号Ｓ１２は光ファイバ９０ａを通過して光送受信モジュール２１の受信ポートＲｘ１に入射する。光送受信モジュール２１に入射した光信号Ｓ１２は、ダイクロイックミラー８１で反射され、ハーフミラー６１３に入射する。ハーフミラー６１３に入射した光信号Ｓ１２の一部は、ハーフミラー６１３を通過し、さらにダイクロイックミラー６１４で反射されて、送信ポートＴｘ２に到達する。送信ポートＴｘ２から出射された光信号Ｓ１２は、光ファイバ９０ｂを通過し、光送受信モジュール１１の受信ポートＲｘ２に入射する。光送受信モジュール１１に入射した光信号Ｓ１２は、ダイクロイックミラー５１を通過して、ＰＤ４１１に入射する。ＰＤ４１１は、光信号Ｓ１２を光電変換した電気信号をアンプ４１２に出力する。アンプ４１２は、この電気信号を増幅した出力データ信号ＯＵＴ１を、外部の情報処理装置等に出力する。
【００３４】
一方、光送受信モジュール２１のＬＤ直接変調ドライバ６１１ｂには、入力データ信号ＩＮ２２及び制御信号ＣＯＮＴ２２が入力される。ＬＤ直接変調ドライバ６１１ｂは、入力データ信号ＩＮ２２及び制御信号ＣＯＮＴ２２に応じてＬＤ６１２ｂを駆動し、ＬＤ６１２ｂは波長λ１の光信号Ｓ２２を送出する。この光信号Ｓ２２はダイクロイックミラー６１４を通過して、送信ポートＴｘ２に到達する。光信号Ｓ２２は光ファイバ９０ｂを通過して光送受信モジュール１１の受信ポートＲｘ２に入射する。光送受信モジュール１１に入射した光信号Ｓ２２は、ダイクロイックミラー５１で反射され、ハーフミラー３１３に入射する。ハーフミラー３１３に入射した光信号Ｓ１２の一部は、ハーフミラー３１３を通過し、さらにダイクロイックミラー３１４で反射されて、送信ポートＴｘ１に到達する。送信ポートＴｘ１から出射された光信号Ｓ２２は、光ファイバ９０ａを通過し、光送受信モジュール２１の受信ポートＲｘ１に入射する。光送受信モジュール２１に入射した光信号Ｓ２２は、ダイクロイックミラー８１を通過して、ＰＤ７１１に入射する。ＰＤ７１１は、光信号Ｓ２２を光電変換した電気信号をアンプ７１２に出力する。アンプ７１２は、この電気信号を増幅した出力データ信号ＯＵＴ２を、外部の情報処理装置等に出力する。
【００３５】
このように、ループバック通信モードにおける光通信システム２００では、各光送受信モジュールの送信ポートから送信された光信号は、光信号を送信した光送受信モジュールの受信ポートに帰還する。すなわち、内部で光信号の経路を切り替えることができる光送受信モジュールを用いることにより、容易にループバック通信を行うことができる。従って、本構成によれば、実施の形態１にかかる光通信システム１００と同様に、光伝送路のつなぎ替えや、自己診断を行うことができる光通信システムを提供することができる。
【００３６】
また、本構成においては、対向する光送受信モジュールからの光信号の送信が停止している場合には、もう一方の光送受信モジュールによる通常通信とループバック通信を同時に行うことが可能である。具体例として、光送受信モジュール２１のＬＤ６１２ａ及びＬＤ６１２ｂからの光信号の送信が停止している場合について説明する。この場合、光送受信モジュール１１のＬＤ３１２ａから波長λ１の光信号Ｓ１１を送出することにより、通常通信モードにける動作を行うことができる。この際、ＬＤ３１２ｂを駆動して波長λ２の光信号Ｓ１２を送出することにより、ＰＤ４１１に光信号Ｓ１２のみを入射させることができる。これにより、波長λ１の光信号Ｓ１１による通常通信及び波長λ２の光信号Ｓ１２によるループバック通信を同時に行うことができる。さらに、光送受信モジュール１１のＬＤ３１２ａ及びＬＤ３１２ｂからの光信号の送信が中断（停止）している場合についても同様に、波長λ２の光信号Ｓ２１による通常通信及び波長λ１の光信号Ｓ２２によるループバック通信を同時に行うことができる。
【００３７】
尚、本構成においては、ループバック光信号（光信号Ｓ１２及び光信号Ｓ２２）を変調する必要がないのであれば、ＬＤ直接変調ドライバ３１１ｂ及びＬＤ直接変調ドライバ６１１ｂを省略することができる。
【００３８】
実施の形態３
次に、実施の形態３にかかる光通信システム３００について説明する。光通信システム３００は、光通信システム２００と比べて、光信号の変調方法が異なる。光通信システム３００では、ＬＤを直接変調するのではなく、外部変調器により、ＬＤから発振されたレーザ光に変調を加える。
【００３９】
図３Ａは、実施の形態３にかかる光通信システム３００の構成と通常通信モードにおける光信号の経路を示す構成図である。図３Ｂは、実施の形態３にかかる光通信システム３００の構成とループバック通信モードにおける光信号の経路を示す構成図である。まず、図３Ａを参照して、光通信システム３００の構成について説明する。光通信システム３００は、光通信システム２００と比べて、光送受信モジュール１１を光送受信モジュール１２に置き換え、かつ、光送受信モジュール２１を光送受信モジュール２２に置き換えたものである。
【００４０】
光送受信モジュール１２は、光送受信モジュール１１における送信器３１を、送信器３２に置き換えたものである。送信器３２は、ＬＤ３１２ａ（波長：λ１）、ＬＤ３１２ｂ（波長：λ２）、ハーフミラー３１３、ダイクロイックミラー３１４（λ１：反射、λ２：透過）、外部変調器３２１及び変調器ドライバ３２２により構成される。光送受信モジュール１２のその他の構成は、光送受信モジュール１１と同様であるので説明を省略する。
【００４１】
光送受信モジュール２２は、光送受信モジュール２１における送信器６１を、送信器６２に置き換えたものである。送信器６２は、ＬＤ６１２ａ（波長：λ１）、ＬＤ６１２ｂ（波長：λ２）、ハーフミラー６１３、ダイクロイックミラー６１４（λ１：反射、λ２：透過）、外部変調器６２１及び変調器ドライバ６２２により構成される。光送受信モジュール２２のその他の構成は、光送受信モジュール２１と同様であるので説明を省略する。なお、図３Ｂに示す光通信システム３００の構成は、図３Ａと同様であるので説明を省略する。
【００４２】
次に、図３Ａを参照して、通常通信モードにおける光通信システム３００の動作について説明する。通常通信モードにおいては、光送受信モジュール１２のＬＤ３１２ａは、波長λ１のレーザ光を外部変調器３２１へ出射する。変調器ドライバ３２２には、入力データ信号ＩＮ１１及び制御信号ＣＯＮＴ１１が入力される。変調器ドライバ３２２は、入力データ信号ＩＮ１１及び制御信号ＣＯＮＴ１１に応じて外部変調器３２１を駆動する。外部変調器３２１は、入射した波長λ１のレーザ光を変調した波長λ１の光信号Ｓ１１を送出する。この光信号Ｓ１１の一部はハーフミラー３１３で反射され、さらにダイクロイックミラー３１４で反射されて、送信ポートＴｘ１に到達する。
【００４３】
一方、光送受信モジュール２２のＬＤ６１２ａは、波長λ２のレーザ光を外部変調器６２１へ出射する。変調器ドライバ６２２には、入力データ信号ＩＮ２１及び制御信号ＣＯＮＴ２１が入力される。変調器ドライバ６２２は、入力データ信号ＩＮ２１及び制御信号ＣＯＮＴ２１に応じて外部変調器６２１を駆動する。外部変調器６２１は、入射した波長λ１のレーザ光を変調した波長λ２の光信号Ｓ２１を送出する。この光信号Ｓ２１の一部はハーフミラー６１３で反射され、さらにダイクロイックミラー６１４で反射されて、送信ポートＴｘ２に到達する。
【００４４】
これ以降の動作については、光通信システム２００と同様であるので、説明を省略する。これにより、通常通信モードにおける光通信システム３００は、光通信システム２００と同様に、データ通信を行うことができる。
【００４５】
次に、図３Ｂを参照して、ループバック通信モードにおける光通信システム３００の動作について説明する。ループバック通信モードにおいては、光送受信モジュール１２のＬＤ３１２ａはレーザ光を出射せず、変調器ドライバ３２２にも制御信号は供給されない。ＬＤ３１２ｂは、波長λ２のレーザ光からなる光信号Ｓ１２を送出する。この光信号Ｓ１２はダイクロイックミラー３１４を通過して、送信ポートＴｘ１に到達する。
【００４６】
一方、光送受信モジュール２２のＬＤ６１２はレーザ光を出射せず、変調器ドライバ６２２にも制御信号は供給されない。ＬＤ６１２ｂは、波長λ１のレーザ光からなる光信号Ｓ２２を送出する。この光信号Ｓ２２はダイクロイックミラー６１４を通過して、送信ポートＴｘ２に到達する。
【００４７】
これ以降の動作については、光通信システム２００と同様であるので、説明を省略する。これにより、通常通信モードにおける光通信システム３００は、光通信システム２００と同様に、ループバック通信を行うことが可能である。
【００４８】
また、光通信システム３００は、光通信システム２００と同様に、対向する光送受信モジュールからの光信号の送信が中断（停止）している場合には、もう一方の光送受信モジュールによる通常通信とループバック通信を同時に行うことが可能である。
【００４９】
実施の形態４
次に、実施の形態４にかかる光通信システム４００について説明する。光通信システム４００は、光通信システム３００と比べて、光送受信モジュール内の外部変調器及び変調器ドライバの配置が異なる点が特徴である。
【００５０】
図４Ａは、実施の形態４にかかる光通信システム４００の構成と通常通信モードにおける光信号の経路を示す構成図である。図４Ｂは、実施の形態４にかかる光通信システム４００の構成とループバック通信モードにおける光信号の経路を示す構成図である。まず、図４Ａを参照して、光通信システム４００の構成について説明する。光通信システム４００は、光通信システム３００と比べて、光送受信モジュール１２を光送受信モジュール１３に置き換え、かつ、光送受信モジュール２２を光送受信モジュール２３に置き換えたものである。
【００５１】
光送受信モジュール１３は、光送受信モジュール１１における送信器３１を、送信器３３に置き換えたものである。送信器３３は、送信ポートＴｘ１、外部変調器３２１、ダイクロイックミラー３１４（λ１：反射、λ２：透過）及びＬＤ３１２ｂ（波長：λ２）が直線上に並んでいる。ＬＤ３１２ａ（波長：λ１）は、この直線上から外れて配置される。ＬＤ３１２ａ（波長：λ１）から出射されるレーザ光は、ハーフミラー３１３により反射されて、ダイクロイックミラー３１４に入射する。光送受信モジュール１３のその他の構成は、光送受信モジュール１１と同様であるので説明を省略する。
【００５２】
光送受信モジュール２３は、光送受信モジュール２１における送信器６１を、送信器６３に置き換えたものである。送信器６３は、送信ポートＴｘ２、外部変調器６２１、ダイクロイックミラー６１４（λ２：反射、λ１：透過）及びＬＤ６１２ｂ（波長：λ１）が直線上に並んでいる。ＬＤ６１２ａ（波長：λ２）は、この直線上から外れて配置される。ＬＤ６３１２ａ（波長：λ２）から出射されるレーザ光は、ハーフミラー６１３により反射されて、ダイクロイックミラー６１４に入射する。光送受信モジュール２３のその他の構成は、光送受信モジュール２１と同様であるので説明を省略する。なお、図４Ｂに示す光通信システム４００の構成は、図４Ａと同様であるので説明を省略する。
【００５３】
次に、図４Ａを参照して、通常通信モードにおける光通信システム４００の動作について説明する。通常通信モードにおいては、光送受信モジュール１３のＬＤ３１２ａが波長λ１のレーザ光をハーフミラー３１３へ出射する。出射されたレーザ光の一部は、ハーフミラー３１３で反射され、さらにダイクロイックミラー３１４で反射されて、外部変調器３２１へ入射する。変調器ドライバ３２２は入力データ信号ＩＮ１１及び制御信号ＣＯＮＴ１１に応じて外部変調器３２１を駆動する。外部変調器３２１は、入射したレーザ光を変調して、光信号Ｓ１１を送出する。送出された光信号Ｓ１１は、送信ポートＴｘ１に到達する。
【００５４】
一方、光送受信モジュール２３では、ＬＤ６１２ａが波長λ２のレーザ光をハーフミラー６１３へ出射する。出射されたレーザ光の一部は、ハーフミラー６１３で反射され、さらにダイクロイックミラー６１４で反射されて、外部変調器６２１へ入射する。変調器ドライバ６２２は入力データ信号ＩＮ２１及び制御信号ＣＯＮＴ２１に応じて外部変調器６２１を駆動する。外部変調器６２１は、入射したレーザ光を変調して、光信号Ｓ２１を送出する。送出された光信号Ｓ２１は、送信ポートＴｘ２に到達する。
【００５５】
これ以降の動作については、光通信システム３００と同様であるので、説明を省略する。これにより、通常通信モードにおける光通信システム４００は、光通信システム３００と同様に、データ通信を行うことができる。
【００５６】
次に、図４Ｂを参照して、ループバック通信モードにおける光通信システム４００の動作について説明する。ループバック通信モードにおいては、光送受信モジュール１３のＬＤ３１２ａはレーザ光を出射しないが、ＬＤ３１２ｂは波長λ２のレーザ光を送出する。このレーザ光はダイクロイックミラー３１４を通過して、外部変調器３２１に入射する。変調器ドライバ３２２は入力データ信号ＩＮ１２及び制御信号ＣＯＮＴ１２に応じて外部変調器３２１を駆動する。外部変調器３２１は、入射したレーザ光を変調して、波長λ１の光信号Ｓ１２を送出する。送出された光信号Ｓ１２は、送信ポートＴｘ１に到達する。
【００５７】
一方、光送受信モジュール２３のＬＤ６１１ａはレーザ光を出射しないが、ＬＤ６１２ｂは波長λ１のレーザ光を送出する。このレーザ光はダイクロイックミラー６１４を通過して、外部変調器６２１に入射する。変調器ドライバ６２２は入力データ信号ＩＮ２２及び制御信号ＣＯＮＴ２２に応じて外部変調器６２１を駆動する。外部変調器６２１は、入射したレーザ光を変調して、波長λ１の光信号Ｓ２２を送出する。送出された光信号Ｓ２２は、送信ポートＴｘ２に到達する。
【００５８】
これ以降の動作については光通信システム３００と同様であるので、説明を省略する。これにより、ループバック通信モードにおける光通信システム４００は、光通信システム３００と同様に、ループバック通信を行うことが可能である。
【００５９】
また、光通信システム４００についても、光通信システム３００と同様に、対向するモジュールからの光信号の送信が中断（停止）している場合には、もう一方のモジュールによる通常通信とループバック通信を同時に行うことが可能である。
【００６０】
実施の形態５
次に、実施の形態５にかかる光通信システム５００について説明する。光通信システム５００は、光通信システム２００におけるＬＤを、波長可変ＬＤに置き換えたものである。
【００６１】
図５Ａは、実施の形態５にかかる光通信システム５００の構成と通常通信モードにおける光信号の経路を示す構成図である。図５Ｂは、実施の形態５にかかる光通信システム５００の構成とループバック通信モードにおける光信号の経路を示す構成図である。まず、図５Ａを参照して、光通信システム５００の構成について説明する。光通信システム５００は、光通信システム２００と比べて、光送受信モジュール１１を光送受信モジュール１４に置き換え、かつ、光送受信モジュール２１を光送受信モジュール２４に置き換えたものである。
【００６２】
光送受信モジュール１４は、光送受信モジュール１１における送信器３１を、送信器３４に置き換えたものである。送信器３４は、ＬＤ直接変調ドライバ３１１ａ、波長可変ＬＤ３４１、光フィルタ３４２及び送信ポートＴｘ１が直線上に並んでいる。波長可変ＬＤ３４１は、少なくとも波長λ１及び波長λ２の光信号を送出することができる。光フィルタ３４２は、波長λ１の一部を通過させ、かつ残余の波長λ１の光を反射する。また、波長λ２の光を高効率で通過させる。光送受信モジュール１４のその他の構成は、光送受信モジュール１１と同様であるので説明を省略する。
【００６３】
光送受信モジュール２４は、光送受信モジュール２１における送信器６１を、送信器６４に置き換えたものである。送信器６４は、ＬＤ直接変調ドライバ６１１ａ、波長可変ＬＤ６４１、光フィルタ６４２及び送信ポートＴｘ２が直線上に並んでいる。波長可変ＬＤ６４１は、少なくとも波長λ１及び波長λ２の光信号を送出することができる。光フィルタ６４２は、波長λ２の一部を通過させ、かつ残余の波長λ２の光を反射する。また、波長λ１の光を高効率で通過させる。光送受信モジュール２４のその他の構成は、光送受信モジュール２１と同様であるので説明を省略する。なお、図５Ｂに示す光通信システム５００の構成は、図５Ａと同様であるので説明を省略する。
【００６４】
次に、図５Ａを参照して、通常通信モードにおける光通信システム５００の動作について説明する。通常通信モードにおいては、光送受信モジュール１４のＬＤ直接変調ドライバ３１１ａに入力データ信号ＩＮ１１及び制御信号ＣＯＮＴ１１が入力される。ＬＤ直接変調ドライバ３１１ａは、入力データ信号ＩＮ１１及び制御信号ＣＯＮＴ１１に応じて波長可変ＬＤ３４１を駆動する。波長可変ＬＤ３４１は、波長λ１の光信号Ｓ１１を送出する。この光信号Ｓ１１の一部は光フィルタ３４２を通過して、送信ポートＴｘ１に到達する。
【００６５】
一方、光送受信モジュール２４のＬＤ直接変調ドライバ６１１ａに入力データ信号ＩＮ２１及び制御信号ＣＯＮＴ２１が入力される。ＬＤ直接変調ドライバ６１１ａは、入力データ信号ＩＮ２１及び制御信号ＣＯＮＴ２１に応じて波長可変ＬＤ６４１を駆動する。波長可変ＬＤ６４１は、波長λ２の光信号Ｓ２１を送出する。この光信号Ｓ２１の一部は光フィルタ６４２を通過して、送信ポートＴｘ２に到達する。
【００６６】
これ以降の動作については、光通信システム２００と同様であるので説明を省略する。これにより、通常通信モードにおける光通信システム５００は、光通信システム２００と同様に、データ通信を行うことができる。
【００６７】
次に、図５Ｂを参照して、ループバック通信モードにおける光通信システム５００の動作について説明する。ループバック通信モードにおいては、光送受信モジュール１４のＬＤ直接変調ドライバ３１１ａには、入力データ信号ＩＮ１２及び制御信号ＣＯＮＴ１２が入力される。ＬＤ直接変調ドライバ３１１ａは、入力データ信号ＩＮ１２及び制御信号ＣＯＮＴ１２に応じて波長可変ＬＤ３４１を駆動し、波長可変ＬＤ３４１は波長λ２の光信号Ｓ１２を送出する。この光信号Ｓ１２は光フィルタ３４２を通過して、送信ポートＴｘ１に到達する。光信号Ｓ１２は光ファイバ９０ａを通過して光送受信モジュール２４の受信ポートＲｘ１に入射する。受信ポートＲｘ１に入射した光信号Ｓ１２は、ダイクロイックミラー８１で反射され、光フィルタ６４２に入射する。光フィルタ６４２に入射した光信号Ｓ１２の一部は、光フィルタ６４２で反射されて、送信ポートＴｘ２に到達する。
【００６８】
一方、光送受信モジュール２４のＬＤ直接変調ドライバ６１１ａには、入力データ信号ＩＮ２２及び制御信号ＣＯＮＴ２２が入力される。ＬＤ直接変調ドライバ６１１ａは、入力データ信号ＩＮ２２及び制御信号ＣＯＮＴ２２に応じて波長可変ＬＤ６４１を駆動し、波長可変ＬＤ６４１は波長λ１の光信号Ｓ２２を送出する。この光信号Ｓ２２は光フィルタ６４２を通過して、送信ポートＴｘ２に到達する。光信号Ｓ２２は光ファイバ９０ｂを通過して光送受信モジュール１４の受信ポートＲｘ２に入射する。受信ポートＲｘ２に入射した光信号Ｓ２２は、ダイクロイックミラー５１で反射され、光フィルタ３４２に入射する。光フィルタ３４２に入射した光信号Ｓ２２の一部は、光フィルタ３４２で反射されて、送信ポートＴｘ１に到達する。
【００６９】
これ以降の動作については、光通信システム２００と同様であるので、説明を省略する。これにより、ループバック通信モードにおける光通信システム５００は、光通信システム２００と同様に、ループバック通信を行うことが可能である。
【００７０】
尚、光通信システム５００は、実施の形態２〜４にかかる光通信システム２００、３００及び４００と比べて、光源であるＬＤの設置数を減らすことができる。よって、コンポーネント数減少による光送受信モジュールの小型化・低コスト化を図ることができる。
【００７１】
実施の形態６
次に、実施の形態６にかかる光通信システム６００について説明する。光通信システム６００は、光通信システム５００と比べて、波長可変ＬＤを直接変調するのではなく、外部変調器にて変調を行うものである。
【００７２】
図６Ａは、実施の形態６にかかる光通信システム６００の構成と通常通信モードにおける光信号の経路を示す構成図である。図６Ｂは、実施の形態６にかかる光通信システム６００の構成とループバック通信モードにおける光信号の経路を示す構成図である。まず、図６Ａを参照して、光通信システム６００の構成について説明する。光通信システム６００は、光通信システム５００と比べて、光送受信モジュール１４を光送受信モジュール１５に置き換え、かつ、光送受信モジュール２４を光送受信モジュール２５に置き換えたものである。
【００７３】
光送受信モジュール１５は、光送受信モジュール１４における送信器３４を、送信器３５に置き換えたものである。送信器３５は、波長可変ＬＤ３４１、外部変調器３２１、光フィルタ３４２及び送信ポートＴｘ１が直線上に並んでいる。変調器ドライバ３２２は、制御信号ＣＯＮＴ１１又は制御信号ＣＯＮＴ１２に応じて、外部変調器３２１を駆動する。光送受信モジュール１５のその他の構成は、光送受信モジュール１４と同様であるので説明を省略する。
【００７４】
光送受信モジュール２５は、光送受信モジュール２４における送信器６４を、送信器６５に置き換えたものである。送信器６５は、波長可変ＬＤ６４１、外部変調器６２１、光フィルタ６４２及び送信ポートＴｘ２が直線上に並んでいる。変調器ドライバ６２２は、制御信号ＣＯＮＴ２１又は制御信号ＣＯＮＴ２２に応じて、外部変調器６２１を駆動する。光送受信モジュール２５のその他の構成は、光送受信モジュール２４と同様であるので説明を省略する。なお、図６Ｂに示す光通信システム６００の構成は、図６Ａと同様であるので説明を省略する。
【００７５】
次に、図６Ａを参照して、通常通信モードにおける光通信システム６００の動作について説明する。通常通信モードにおいては、光送受信モジュール１５の波長可変ＬＤ３４１は、波長λ１のレーザ光を外部変調器３２１へ出射する。変調器ドライバ３２２には入力データ信号ＩＮ１１及び制御信号ＣＯＮＴ１１が入力される。変調器ドライバ３２２は、入力データ信号ＩＮ１１及び制御信号ＣＯＮＴ１１に応じて外部変調器３２１駆動する。外部変調器３２１は、入射した波長λ１のレーザ光を変調して、光信号Ｓ１１を送出する。この光信号Ｓ１１の一部は光フィルタ３４２を通過して、送信ポートＴｘ１に到達する。
【００７６】
一方、光送受信モジュール２５の波長可変ＬＤ３４１は、波長λ２のレーザ光を外部変調器６２１へ出射する。変調器ドライバ６２２には入力データ信号ＩＮ２１及び制御信号ＣＯＮＴ２１が入力される。変調器ドライバ６２２は、入力データ信号ＩＮ２１及び制御信号ＣＯＮＴ２１に応じて外部変調器６２１駆動する。外部変調器６２１は、入射した波長λ２のレーザ光を変調して、光信号Ｓ２１を送出する。この光信号Ｓ２１の一部は光フィルタ６４２を通過して、送信ポートＴｘ２に到達する。
【００７７】
これ以降の動作については、光通信システム５００と同様であるので説明を省略する。これにより、通常通信モードにおける光通信システム６００は、光通信システム５００と同様に、データ通信を行うことができる。
【００７８】
次に、図６Ｂを参照して、ループバック通信モードにおける光通信システム６００の動作について説明する。ループバック通信モードにおいては、光送受信モジュール１５の波長可変ＬＤ３４１は、波長λ２のレーザ光を外部変調器３２１に出射する。変調器ドライバ３２２には入力データ信号ＩＮ１２及び制御信号ＣＯＮＴ１２が入力される。変調器ドライバ３２２は、入力データ信号ＩＮ１２及び制御信号ＣＯＮＴ１２に応じて外部変調器３２１を駆動する。外部変調器３２１は、入射した波長λ２のレーザ光を変調して、光信号Ｓ１２を送出する。この光信号Ｓ１２は光フィルタ３４２を通過して、送信ポートＴｘ１に到達する。
【００７９】
一方、光送受信モジュール２５の波長可変ＬＤ６４１は、波長λ１のレーザ光を外部変調器６２１に出射する。変調器ドライバ６２２には入力データ信号ＩＮ２２及び制御信号ＣＯＮＴ２２が入力される。変調器ドライバ６２２は、入力データ信号ＩＮ２２及び制御信号ＣＯＮＴ２２に応じて外部変調器６２１を駆動する。外部変調器６２１は、入射した波長λ１のレーザ光を変調して、光信号Ｓ２２を送出する。この光信号Ｓ２２は光フィルタ６４２を通過して、送信ポートＴｘ２に到達する。
【００８０】
これ以降の動作については、光通信システム５００と同様であるので、説明を省略する。これにより、ループバック通信モードにおける光通信システム６００は、光通信システム５００と同様に、ループバック通信を行うことが可能である。
【００８１】
また、光通信システム６００は、光通信システム５００と同様に、実施の形態２〜４にかかる光通信システム２００、３００及び４００と比べて、光源であるＬＤの設置数を減らすことができる。よって、コンポーネント数減少による光送受信モジュールの小型化・低コスト化を図ることができる。
【００８２】
その他の実施の形態
なお、本発明は上記実施の形態に限られたものではなく、趣旨を逸脱しない範囲で適宜変更することが可能である。例えば、実施の形態２〜６におけるハーフミラーは、適宜３ｄＢカプラに置き換えることが可能である。また、ダイクロイックミラーは、適宜ＷＤＭカプラに置き換えることが可能である。
【００８３】
上述の実施の形態では、一つの光送受信モジュールにつき２チャネルの構成について記載されているが、３チャネル以上の構成とすることも可能である。また、実施の形態２~６では２波長の光信号を用いたが、波長数を増やすことにより、他の通信モードを形成することも可能である。
【００８４】
さらに、本発明にかかる通信システムを複数組み込んだ通信系を構成することができることは言うまでもない。この場合には、大規模な通信系においても、光伝送路のつなぎ替えや外部装置の接続などの措置を必要とせずに、任意の通信システムについて、任意の時期に瞬時にループバックテストを行うことができる。
【００８５】
上記の実施の形態の一部又は全部は、以下のようにも記載され得るが、以下には限られない。
【００８６】
（付記１）相互に光信号の送信及び受信を行う第１の光送受信モジュール及び第２の光送受信モジュールを少なくとも備え、前記第１の光送受信モジュール及び前記第２の光送受信モジュールは、光信号を送信する送信器と、光信号を受信する受信器と、を少なくとも備え、通常通信モードにおいては、前記第１の光送受信モジュールの前記受信器は、前記第２の光送受信モジュールの前記送信器から送信される光信号を受信し、前記第２の光送受信モジュールの前記受信器は、前記第１の光送受信モジュールの前記送信器から送信される光信号を受信し、ループバック通信モードにおいては、少なくとも前記第１の光送受信モジュールの前記受信器は、前記第１の光送受信モジュールの前記送信器から送信され、前記第２の光送受信モジュールにより転送され、前記第２の光送受信モジュールの前記送信器から当該受信器へ送信される光信号を受信する、光通信システム。
【００８７】
（付記２）前記第１の光送受信モジュール及び前記第２の光送受信モジュールは、前記ループバック通信モードにおいて前記送信器へ光信号を転送する光信号転送手段を更に備えることを特徴とする、付記１に記載の光通信システム。
【００８８】
（付記３）前記送信器は、第１の波長の光を発生させる発光素子と、前記第１の波長とは異なる第２の波長の光を発生させる発光素子と、を少なくとも備え、前記第１の波長の光を変調した前記第１の波長を有する光信号及び前記第２の波長の光を変調した前記第２の波長を有する光信号のいずれか一方、あるいは両方を送信することを特徴とする、付記２に記載の光通信システム。
【００８９】
（付記４）前記送信器は、少なくとも第１の波長の光又は前記第１の波長とは異なる第２の波長の光を発生させる波長可変発光素子を少なくとも備え、前記第１の波長の光を変調した前記第１の波長を有する光信号又は前記第２の波長の光を変調した前記第２の波長を有する光信号を送信することを特徴とする、付記２に記載の光通信システム。
【００９０】
（付記５）前記通常通信モードにおいては、前記第１の光送受信モジュールの前記送信器は、前記第１の波長を有する光信号を送信し、前記第２の光送受信モジュールの前記送信器は、前記第２の波長を有する光信号を送信し、前記第１の光送受信モジュールの前記光信号転送手段は、前記第２の光送受信モジュールの前記送信器から送信される前記第２の波長を有する光信号を、前記第１の光送受信モジュールの前記受信器に出力し、前記第２の光送受信モジュールの前記光信号転送手段は、前記第１の光送受信モジュールの前記送信器から送信される前記第１の波長を有する光信号を、前記第２の光送受信モジュールの前記受信器に出力し、前記ループバック通信モードにおいては、少なくとも前記第１の光送受信モジュールの前記送信器は、少なくとも前記第２の波長を有する光信号を送信し、前記第２の光送受信モジュールの前記光信号転送手段は、前記第１の光送受信モジュールの前記送信器から送信される前記第２の波長を有する光信号を、前記第２の光送受信モジュールの前記送信器へ転送し、前記第２の光送受信モジュールの前記送信器は、転送された前記第２の波長を有する光信号を前記第１の光送受信モジュールの前記光信号転送手段へ送信し、前記第１の光送受信モジュールの前記光信号転送手段は、送信された前記第２の波長を有する光信号を、前記第１の光送受信モジュールの前記受信器に出力することを特徴とする、付記３又は４に記載の光通信システム。
【００９１】
（付記６）前記ループバック通信モードにおいては、前記第２の光送受信モジュールの前記送信器は、前記第１の波長を有する光信号を送信し、前記第１の光送受信モジュールの前記光信号転送手段は、前記第２の光送受信モジュールの前記送信器から送信される前記第１の波長を有する光信号を、前記第１の光送受信モジュールの前記送信器へ転送し、前記第１の光送受信モジュールの前記送信器は、転送された前記第１の波長を有する光信号を前記第２の光送受信モジュールの前記光信号転送手段へ送信し、前記第２の光送受信モジュールの前記光信号転送手段は、送信された前記第１の波長を有する光信号を、前記第２の光送受信モジュールの前記受信器に出力することを特徴とする、付記５に記載の光通信システム。
【００９２】
（付記７）前記通常通信モードにおいては、前記第１の光送受信モジュールの前記送信器は、第１の偏光状態を有する光信号を送信し、前記第２の光送受信モジュールの前記送信器は、前記第１の偏光状態とは異なる第２の偏光状態を有する光信号を送信し、前記第１の光送受信モジュールの前記光信号転送手段は、前記第２の光送受信モジュールの前記送信器から送信される前記第２の偏光状態を有する光信号を、前記第１の光送受信モジュールの前記受信器に出力し、前記第２の光送受信モジュールの前記光信号転送手段は、前記第１の光送受信モジュールの前記送信器から送信される前記第１の偏光状態を有する光信号を、前記第２の光送受信モジュールの前記受信器に出力し、前記ループバック通信モードにおいては、少なくとも前記第１の光送受信モジュールの前記送信器は、少なくとも前記第２の偏光状態を有する光信号を送信し、前記第２の光送受信モジュールの前記光信号転送手段は、前記第１の光送受信モジュールの前記送信器から送信される前記第２の偏光状態を有する光信号を、前記第２の光送受信モジュールの前記送信器へ転送し、前記第２の光送受信モジュールの前記送信器は、転送された前記第２の偏光状態を有する光信号を前記第１の光送受信モジュールの前記光信号転送手段へ送信し、前記第１の光送受信モジュールの前記光信号転送手段は、送信された前記第２の偏光状態を有する光信号を、前記第１の光送受信モジュールの前記受信器に出力することを特徴とする、付記１に記載の光通信システム。
【００９３】
（付記８）前記ループバック通信モードにおいては、前記第２の光送受信モジュールの前記送信器は、前記第１の偏光状態を有する光信号を送信し、前記第１の光送受信モジュールの前記光信号転送手段は、前記第２の光送受信モジュールの前記送信器から送信される前記第１の偏光状態を有する光信号を、前記第１の光送受信モジュールの前記送信器へ転送し、前記第１の光送受信モジュールの前記送信器は、転送された前記第１の偏光状態を有する光信号を前記第２の光送受信モジュールの前記光信号転送手段へ送信し、前記第２の光送受信モジュールの前記光信号転送手段は、送信された前記第１の偏光状態を有する光信号を、前記第２の光送受信モジュールの前記受信器に出力することを特徴とする、付記７に記載の光通信システム。
【００９４】
（付記９）他の光送受信モジュールとの間でループバック通信を行う光送受信モジュールであって、光信号を送信する送信器と、光信号を受信する受信器と、を少なくとも備え、通常通信モードにおいては、当該光送受信モジュールの前記受信器は、前記他の光送受信モジュールの前記送信器から送信される光信号を受信し、ループバック通信モードにおいては、当該光送受信モジュールの前記受信器は、当該光送受信モジュールの前記送信器から出力され、前記他の光送受信モジュールにより転送され、前記他の光送受信モジュールの前記送信器から送信される光信号を受信する、光送受信モジュール。
【００９５】
（付記１０）相互に光信号の送信及び受信を行う第１の光送受信モジュール及び第２の光送受信モジュールを有する光通信システムの光信号送受信方法であって、通常通信モードにおいては、第１の送受信モジュールの送信器から送信する光信号を、第２の光送受信モジュールの受信器で受信し、第２の送受信モジュールの送信器から送信する光信号を、第１の光送受信モジュールの受信器で受信し、ループバック通信モードにおいては、前記第１の光送受信モジュールの前記送信器から送信する光信号を、前記第２の送受信モジュールにより転送して、前記第２の送受信モジュールの前記送信器から前記第１の送受信モジュールの前記受信器で受信する、光通信システムの光信号送受信方法。
【００９６】
（付記１１）他の光送受信モジュールとの間でループバック通信を行う光送受信モジュールであって、光信号を送信する送信器と、光信号を受信する受信器と、を少なくとも備え、通常通信モードにおいては、当該光送受信モジュールの前記受信器は、前記他の光送受信モジュールの前記送信器から送信される光信号を受信し、ループバック通信モードにおいては、当該光送受信モジュールの前記受信器は、当該光送受信モジュールの前記送信器から出力され、前記他の光送受信モジュールにより転送され、前記他の光送受信モジュールの前記送信器から送信される光信号を受信する、光送受信モジュール。
【００９７】
（付記１２）前記ループバック通信モードにおいて前記送信器へ光信号を転送する光信号転送手段を更に備えることを特徴とする、付記１１に記載の光送受信モジュール。
【００９８】
（付記１３）前記送信器は、第１の波長の光を発生させる発光素子と、前記第１の波長とは異なる第２の波長の光を発生させる発光素子と、を少なくとも備え、前記第１の波長の光を変調した前記第１の波長を有する光信号及び前記第２の波長の光を変調した前記第２の波長を有する光信号のいずれか一方、あるいは両方を送信することを特徴とする、付記１２に記載の光送受信モジュール。
【００９９】
（付記１４）前記他の光送受信モジュールの前記送信器は、前記第１の波長の光を発生させる発光素子と、前記第２の波長の光を発生させる発光素子と、を少なくとも備え、前記第１の波長の光を変調した前記第１の波長を有する光信号及び前記第２の波長の光を変調した前記第２の波長を有する光信号のいずれか一方、あるいは両方を送信することを特徴とする、付記１３に記載の光送受信モジュール。
【０１００】
（付記１５）前記送信器は、少なくとも第１の波長の光又は前記第１の波長とは異なる第２の波長の光を発生させる波長可変発光素子を少なくとも備え、前記第１の波長の光を変調した前記第１の波長を有する光信号又は前記第２の波長の光を変調した前記第２の波長を有する光信号を送信することを特徴とする、付記１２に記載の光送受信モジュール。
【０１０１】
（付記１６）前記他の光送受信モジュールの送信器は、少なくとも前記第１の波長の光又は前記第２の波長の光を発生させる波長可変発光素子を少なくとも備え、前記第１の波長の光を変調した前記第１の波長を有する光信号又は前記第２の波長の光を変調した前記第２の波長を有する光信号を送信することを特徴とする、付記１５に記載の光送受信モジュール。
【０１０２】
（付記１７）前記通常通信モードにおいては、前記送信器は、前記第１の波長を有する光信号を送信し、前記他の光送受信モジュールの前記送信器は、前記第２の波長を有する光信号を送信し、前記光信号転送手段は、前記他の光送受信モジュールの前記送信器から送信される前記第２の波長を有する光信号を、前記受信器に出力し、前記ループバック通信モードにおいては、前記送信器は、少なくとも前記第２の波長を有する光信号を送信し、前記光信号転送手段は、前記他の光送受信モジュールの前記光信号転送手段により前記他の光送受信モジュールの前記送信器に転送され、前記他の光送受信モジュールの当該送信器から送信される前記第２の波長を有する光信号を、前記受信器へ出力することを特徴とする、付記１４又は１６に記載の光送受信モジュール。
【０１０３】
（付記１８）前記通常通信モードにおいては、前記送信器は、前記第１の偏光状態を有する光信号を送信し、前記他の光送受信モジュールの前記送信器は、前記第２の偏光状態を有する光信号を送信し、前記光信号転送手段は、前記他の光送受信モジュールの前記送信器から送信される前記第２の偏光状態を有する光信号を、前記受信器に出力し、前記ループバック通信モードにおいては、前記送信器は、少なくとも前記第２の偏光状態を有する光信号を送信し、前記光信号転送手段は、前記他の光送受信モジュールの前記光信号転送手段により前記他の光送受信モジュールの前記送信器に転送され、前記他の光送受信モジュールの当該送信器から送信される前記第１の偏光状態を有する光信号を、前記受信器へ出力することを特徴とする、付記１２に記載の光送受信モジュール。
【符号の説明】
【０１０４】
１、２  光送受信モジュール
３、６  送信器
４、７  受信器
５、８  光信号転送手段
９ａ、９ｂ  光伝送路
１１〜１５、２１〜２５  光送受信モジュール
３１〜３５、６１〜６５  送信器
４１、７１  受信器
５１、８１  ダイクロイックミラー
９０ａ、９０ｂ  光ファイバ
１００、２００、３００、４００、５００、６００、７００  光通信システム
３１１ａ、３１１ｂ、６１１ａ、６１１ｂ  直接変調ドライバ
３１３、６１３  ハーフミラー
３１４、６１４  ダイクロイックミラー
３２１、６２１    外部変調器
３２２、６２２    変調器ドライバ
３４１、６４１  波長可変ＬＤ
３４２、６４２  光フィルタ
４００    光通信システム
４１１、７１１  ＰＤ
４１２、７１２  アンプ
７０１、７０２  多芯型光送受信モジュール
７０１ａ、７０２ａ  送信部
７０１ｂ、７０２ｂ  受信部
７０３ａ〜ｈ  光伝送路
ＣＯＮＴ１１、ＣＯＮＴ１２、ＣＯＮＴ２１、ＣＯＮＴ２２  制御信号
ＩＮ１１、ＩＮ１２、ＩＮ２１、ＩＮ２２  入力データ信号
ＯＵＴ１、ＯＵＴ２  出力データ信号
Ｒｘ１〜８  受信ポート
Ｔｘ１〜８  送信ポート
Ｓ１〜８、Ｓ１１、Ｓ１２、Ｓ２１、Ｓ２２  光信号
【図１Ａ】
2011211565.tif 000003
【図１Ｂ】
2011211565.tif 000004
【図２Ａ】
2011211565.tif 000005
【図２Ｂ】
2011211565.tif 000006
【図３Ａ】
2011211565.tif 000007
【図３Ｂ】
2011211565.tif 000008
【図４Ａ】
2011211565.tif 000009
【図４Ｂ】
2011211565.tif 000010
【図５Ａ】
2011211565.tif 000011
【図５Ｂ】
2011211565.tif 000012
【図６Ａ】
2011211565.tif 000013
【図６Ｂ】
2011211565.tif 000014
【図７】
2011211565.tif 000015